(57)【特許請求の範囲】
【請求項１】
螺旋状のカム面を有する支持体と、スラスト軸受け部を介して、この支持体に回動自在に、かつカム面の螺旋と同軸に支承された支持筒と、この支持筒の開口端部に摺動可能に嵌装され、外端を支持体のカム面に接合させると共に、支持筒の軸線回りの回動を拘束された遊動プラグと、支持筒内に弾装され、遊動プラグをカム面方向に付勢するばね部材とを有し、支持体と支持筒とを同軸に配設した状態で、扉の下端縁支持端部及び扉枠の一方に支持体を、他方に支持筒を夫々装着し、以て、扉を開けるとき、扉を上昇させることなく、遊動プラグのみをばね部材を押し縮めつつ支持体の立体カム上に乗り上がらせ、扉から手を離したとき、遊動プラグを支持体の立体カムに沿って回動しながら元の位置に復元させることにより、扉を閉鎖させるようにしたことを特徴とする自動閉鎖ヒンジ。
【請求項２】
中心軸を見込む角度が平角以下の一対の螺旋状のカム面を面対称に形成した支持体と、スラスト軸受け部を介して、この支持体に回動自在に、かつカム面の螺旋と同軸に支承された支持筒と、この支持筒の開口端部に摺動可能に嵌装され、外端を支持体のカム面に接合させると共に、支持筒の軸線回りの回動を拘束された遊動プラグと、支持筒内に弾装され、遊動プラグをカム面方向に付勢するばね部材とを有し、支持体と支持筒とを同軸に配設した状態で、扉の下端縁支持端部及び扉枠の一方に支持体を、他方に支持筒を夫々装着し、以て、扉を開けるとき、扉を上昇させることなく、遊動プラグのみをばね部材を押し縮めつつ支持体の立体カム上に乗り上がらせ、扉から手を離したとき、遊動プラグを支持体の立体カムに沿って回動しながら元の位置に復元させることにより、扉を閉鎖させるようにしたことを特徴とする自動閉鎖ヒンジ。
【請求項３】
上記遊動プラグの外端に、支持体のカム面と面接合する螺旋状のカム面を形成したことを特徴とする請求項１に記載の自動閉鎖ヒンジ。
【発明の詳細な説明】
【０００１】
【発明の属する技術分野】
この発明は、ヒンジ自体に扉を自動的に閉鎖する機能を備えた新規な自動閉鎖ヒンジに関する。
【０００２】
【従来の技術】
ヒンジや蝶番自体に扉を閉鎖する機能を付与したものとして、例えば蝶番に捩りコイルばねを組込んだ所謂ばね蝶番がある。
【０００３】
また、グラビティヒンジと称される蝶番は、扉枠側に固定された螺旋状のカム面を有する第１の立体カムと、扉側に固定されたこれも螺旋状の第２の立体カムとを面接合させ、扉を開くとき第２の立体カムのカム面を第１の立体カムのカム面に沿って乗り上がらせ、扉から手を離したとき自由になった扉を重力によって自動的に閉鎖するものである。
【０００４】
【発明が解決しようとする課題】
しかしながら、上記した所謂ばね蝶番は、通常、蝶番の芯棒と外筒の間の小さなスペースにばねを組込まなければならないため、設計に制約が多く、作動の確実性に欠ける、という不都合がある。
【０００５】
また、グラビティヒンジは、扉を第１の立体カムの斜面に沿って持上げなければならないため、扉の上端縁と扉枠との間に大きな隙間を設けることを要し、通常の扉には適用が困難である、という不都合がある。
【０００６】
この発明は、クローザを用いずにヒンジ自体に扉を自動的に閉鎖する機能を有するばかりでなく、同様の機能を有する従来のヒンジの種々の不都合が無い自動閉鎖ヒンジを提供することを目的としている。
【０００７】
また、この発明の他の目的は、内開き及び外開きができる所謂内外自由開き扉に適用可能な自動閉鎖ヒンジを提供することにある。
【０００８】
【課題を解決するための手段】
上記の目的を達成するため、請求項１に記載の発明は、螺旋状のカム面を有する支持体と、スラスト軸受け部を介して、この支持体に回動自在に、かつカム面の螺旋と同軸に支承された支持筒と、この支持筒の開口端部に摺動可能に嵌装され、外端を支持体のカム面に接合させると共に、支持筒の軸線回りの回動を拘束された遊動プラグと、支持筒内に弾装され、遊動プラグをカム面方向に付勢するばね部材とを有し、支持体と支持筒とを同軸に配設した状態で、扉の下端縁支持端部及び扉枠の一方に支持体を、他方に支持筒を夫々装着し、以て、扉を開けるとき、扉を上昇させることなく、遊動プラグのみをばね部材を押し縮めつつ支持体の立体カム上に乗り上がらせ、扉から手を離したとき、遊動プラグを支持体の立体カムに沿って回動しながら元の位置に復元させることにより、扉を閉鎖させるようにしたことを特徴とする。
【０００９】
また、請求項２に記載の発明は、中心軸を見込む角度が平角以下の一対の螺旋状のカム面を面対称に形成した支持体と、スラスト軸受け部を介して、この支持体に回動自在に、かつカム面の螺旋と同軸に支承された支持筒と、この支持筒の開口端部に摺動可能に嵌装され、外端を支持体のカム面に接合させると共に、支持筒の軸線回りの回動を拘束された遊動プラグと、支持筒内に弾装され、遊動プラグをカム面方向に付勢するばね部材とを有し、支持体と支持筒とを同軸に配設した状態で、扉の下端縁支持端部及び扉枠の一方に支持体を、他方に支持筒を夫々装着し、以て、扉を開けるとき、扉を上昇させることなく、遊動プラグのみをばね部材を押し縮めつつ支持体の立体カム上に乗り上がらせ、扉から手を離したとき、遊動プラグを支持体の立体カムに沿って回動しながら元の位置に復元させることにより、扉を閉鎖させるようにしたことを特徴とする。
【００１０】
更にまた、請求項３に記載の発明は、上記遊動プラグの外端に、支持体のカム面と面接合する螺旋状のカム面を形成したことを特徴とする。
【００１１】
【発明の実施の形態】
以下この発明の実施例を図面を参照して説明する。
なお、明細書に添付した図面の内、図１乃至図９は請求項１に記載したこの発明の第一実施例を、図１０乃至図２３は請求項２に記載したこの発明の第二実施例を夫々示している。
【００１２】
図１に示すように、この発明の第一実施例による自動閉鎖ヒンジＡは、図１における扉Ｄの左下隅部、すなわち扉Ｄの下端縁部でノブＫとは反対側の支持端縁部に装着されている。
【００１３】
そして、図示の実施例では、支持体１が扉枠２側に、支持筒３が扉Ｄ側に夫々装着されている。
【００１４】
なお、扉Ｄの上端縁部には、自動閉鎖ヒンジＡと同軸に、支軸がばねで扉枠２の軸受け部に自動的に投入されるタイプのピボットヒンジＰが設けられているが、このピボットヒンジＰの構造や機能は公知であるし、また後に説明するので此では更に詳細な説明は省略する。
【００１５】
上記支持体１は、図２及び図３に示すように、円錐台形の基盤４と、螺旋状のカム面５を有する立体カム６と、後述の遊動プラグを支持案内するための芯棒７とを同軸かつ一体に結合してなる。
【００１６】
図示の実施例におけるカム面５は、図２において芯棒７の中心軸を通る水平線に関し上下対称に形成されている。それは、この自動閉鎖ヒンジを内開き及び外開きができる扉に適用するためである。
【００１７】
また、これは必ずしもこの発明の必須の構成要件ではないが、基盤４は例えば溶接により断面Ｌ字形の第１ブラケット８に一体に結合されている。
【００１８】
そして、この第１ブラケット８を扉枠２にねじ止めすることにより、支持体１を扉枠２に装着する。
【００１９】
一方、支持体の基盤４上には、図８に示すように、一端（下端）が開口した筒状の支持筒３がスラスト軸受け部９を介して載置されると共に、回動自在に支持、案内されている。
【００２０】
図示の実施例におけるスラスト軸受け部９は、円錐台をなす基盤４と、支持筒３の開口縁部に形成された面取り部１１とからなり、後述するように、これら基盤４と面取り部１１とを相互に摺接させることにより、扉の重量を支えると共に、扉の開閉運動の中心軸を形成している。
【００２１】
なお、これはこの発明の必須の構成要件ではないが、支持筒３の開口部には、図４及び図５に示すように、第２ブラケット１２が例えば溶接により一体に結合されていて、この第２ブラケット１２を扉Ｄの下端縁にねじ止めすることにより支持筒３を扉Ｄに装着する。
【００２２】
また、これもこの発明の必須の構成要件ではないが、上記第２ブラケット１２の垂直板部には、図４及び図５に示すように、縦長の突条１３が外向きに形成されており、これに対応して、上記第１ブラケット８の垂直板部には、図２に示すように、縦長の凹条１４が内向き、すなわち扉Ｄの拘束側の側端縁に向けて形成されている。
【００２３】
これら突条１３及び凹条１４は、一種のクリック装置或いはストッパーを構成し、扉閉鎖時相互に係合して（図８参照）、扉Ｄの閉鎖状態を準安定的に保つ。
【００２４】
なお、これら突条１３及び凹条１４によるクリック装置或いはストッパーは、必要に応じて扉の上端縁部にもう１組設けてもよいことは勿論である。
【００２５】
他方、上記支持筒３の開口端部には、図８に示すように、遊動プラグ１５が摺動可能に嵌装されている。
【００２６】
この遊動プラグ１５は、図６及び図７に示すように、支持体１に対向する外端（下端）に支持体１のカム面と同様の螺旋状のカム面５を形成した円柱体であって、その外径は例えば支持体１の立体カム６の外径、及び支持筒３の内径とほぼ同じに設定されている。
【００２７】
また、この遊動プラグ１５には、その中心軸線に沿って、前記支持体の芯棒７（図３参照）に回転可能に被嵌されるガイド孔１６が形成されている。
【００２８】
更にまた、遊動プラグ１５の図７における上端部にはガイドピン１７が突設されており、このガイドピン１７は、支持筒３の一部にその母線方向に沿って開口する案内長孔１８（図５参照）に摺動可能に係合している（図８参照）。
【００２９】
上記した構成により、遊動プラグ１５は支持筒３の軸線方向には一定距離相対移動できるが、支持筒３の軸線回りの回動は拘束される。
【００３０】
また、図８に示すように、支持筒３の底板（図８では天井板）と遊動プラグ１５との間には、圧縮コイルばね等のばね部材１９が弾装されており、このばね部材１９の弾力により、遊動プラグ１５はそのカム面が支持体１のカム面５に弾圧される方向に付勢されている。
【００３１】
上記した諸構成部材は、図８に示すように、扉枠２に固定された支持体の立体カム６上に、その芯棒７をガイド孔１６（図７参照）に差込んだ状態で遊動プラグ１５を載置し、ばね部材１９を介してこれらに支持筒３を被せるようにして、この発明の一実施例による自動閉鎖ヒンジを構成する。
【００３２】
なお、ばね部材１９の弾力は、例えば扉Ｄの重量の約半分以上で、扉Ｄの重量以下に設定する。
【００３３】
それは、後述するように、ばね部材１９の弾力が小さいとこのヒンジは通常のピボットヒンジになってしまうし、ばね部材１９の弾力が扉Ｄの重量より大きいと、支持筒３が基盤４から浮び上がってしまい、このヒンジが従来のグラビティヒンジと同じになってしまうからである。
【００３４】
上述したようにばね部材１９の弾力を扉Ｄの重量以下である程度以上に設定すると、図８から明らかなように、扉の重量は支持筒３、ばね部材１９、遊動プラグ１５を介して支持体１の基盤４に弾性的に担持されると共に、支持筒３及びスラスト軸受け部９を介して支持体１の基盤４に担持される。
【００３５】
この場合、ばね部材１９の弾力とスラスト軸受け部９の垂直方向の負荷を加えたものが扉Ｄの重量になる。
【００３６】
この発明による自動閉鎖ヒンジは、例えば図１のノブＫを握って手前に引けば、扉Ｄ側に装着された支持筒３は、図８に示すものを上方から見たとして、時計方向に回動する。
【００３７】
前記したように支持筒３に嵌装された遊動プラグ１５は支持筒３の軸線回りの相対回動を拘束されているから、遊動プラグ１５は支持筒３と一体的に支持体１の立体カム６に対し相対回動する。
【００３８】
その結果、遊動プラグ１５のカム面５は支持体１のそれと摺接しつつ、楔作用により上方に移動する方向に力を受ける。
【００３９】
そして、図９に示すように、ばね部材１９を押し縮めつつ立体カム６上に乗り上がっていく。
【００４０】
このときばね部材１９の弾力は増加するが、扉の重量を越えないので、支持筒３は支持体の基盤４から浮き上がらず、従って扉Ｄはグラビティヒンジのように上昇することはない。
【００４１】
扉口を人が出入りした後扉から手を離すと、支持体１の立体カム６に乗り上がった遊動プラグ１５に対し、ばね部材１９がこれを立体カム６に押圧するように弾力を及ぼす。
【００４２】
その結果、遊動プラグ１５は支持体１のカム面に沿って回動しながら滑り降り、回転方向においてこれと一体の支持筒３及び扉Ｄは閉鎖する方向に力を受けるので扉は自動的に閉鎖される。
【００４３】
これを正確に言うと、ばね部材１９の弾力の立体カム６の接線方向の分力が支持体１を回動させようとするが、支持体１は扉枠２に固定されているので、立体カム６からの反力により遊動プラグ１５は扉閉鎖方向に回転モーメントを受ける。
【００４４】
この回転モーメントは、ばね部材の弾力や立体カムの傾斜度等を調節することにより自由に設定できる。
【００４５】
なお、図示の実施例では支持体１を扉枠２側に、支持筒３を扉Ｄ側に設けるものとしたが、扉枠２を深く掘り下げることを厭わなければこれらの取付箇所を逆にしてもよい。
【００４６】
また、支持体１と遊動プラグ１５とは面接触をするものとしたが、従来の立体カム装置のように従動側の遊動プラグ側にローラを設け（図示せず）、摩擦を減じるようにしてもよい。
【００４７】
次にこの発明の第二実施例を図１０乃至図２３を参照して説明する。
図１０に示すように、この発明の第二実施例による自動閉鎖ヒンジＡは、前記したこの発明の第一実施例におけると同様に、図１０における扉Ｄの左下隅部、すなわち扉Ｄの下端縁部でノブＫ（図１参照）とは反対側の支持端縁部に装着されている。
【００４８】
なお、扉Ｄの上端縁部には、自動閉鎖ヒンジＡと同軸に、支軸がばねで扉枠２の軸受け部に投入されるタイプのピボットヒンジＰが設けられており、このピボットヒンジＰの構造については後に説明する。
【００４９】
上記支持体１は、図１０乃至図１３に示すように、厚肉円板状の基盤４と、一対の螺旋状のカム面５、５を有する立体カム６とを同軸かつ一体に結合してなる。
【００５０】
上記各カム面５は、この自動閉鎖ヒンジを内外自由開き扉に適用するため、立体カム６の中心軸を見込む角度が平角（１８０度の角度）以下になるように設定され、上記中心軸を含む平面に関し面対称に形成されている。
【００５１】
図示の実施例では、カム面５の上端及び下端には、立体カム６の中心軸を見込む角度が例えば３０度の水平面部２１が形成されている（図１１参照）。
【００５２】
また、図示の実施例では、上記立体カム６は厚肉の円筒を削り出したもので、この立体カム６を環状の基盤４に圧入し、或いは焼ばめし、又は溶接により両者を一体に結合する。
【００５３】
更にまた、これは必ずしもこの発明の必須の構成要件ではないが、基盤４は例えば溶接により断面Ｌ字形の第１ブラケット８に一体に結合されている。
【００５４】
そして、この第１ブラケット８を扉枠２にねじ止めすることにより、支持体１を扉枠２に装着する。
【００５５】
一方、支持体の基盤４上には、図１８に示すように、両端が開口した筒状の支持筒３がスラスト軸受け部９を介して載置されると共に、回動自在に支持、案内されている。
【００５６】
図示の実施例におけるスラスト軸受け部９は、厚肉円板状をなす基盤４と、支持筒３の下端部に一体に結合されたクリック箱２２の底板２３の一部とからなり、後述するように、これら基盤４と底板２３とを相互に摺接させることにより、扉の重量の一部を支えると共に、扉の開閉運動の中心軸を形成している。
【００５７】
なお、上記支持筒３は、扉Ｄにねじ止めされる上記クリック箱２２を介して、扉Ｄに装着される。
【００５８】
他方、上記支持筒３の下端開口端部付近には、図１８に示すように、遊動プラグ１５が摺動可能に嵌装されている。
【００５９】
この遊動プラグ１５は、図１４及び図１５に示すように、支持体１に対向する外端（下端）に支持体１のカム面と同様の螺旋状の一対のカム面５、５を形成した厚肉円柱体であって、その外径は例えば支持体１の立体カム６の外径、及び支持筒３の内径とほぼ同じに設定されている。
【００６０】
また、遊動プラグ１５の図１４における上端部にはガイドピン１７が突設されており、このガイドピン１７は、支持筒３の一部にその母線方向に沿って開口する案内長孔１８に摺動可能に係合している（図１４及び図１８参照）。
【００６１】
上記した構成により、遊動プラグ１５は支持筒３の軸線方向には一定距離相対移動できるが、支持筒３の軸線回りの回動は拘束される。
【００６２】
また、図１４及び図１８に示すように、支持筒３の上端開口縁には雌ねじ部が形成されており、この雌ねじ部には外周に雄ねじを刻設した第１ばね止め体２４が螺合している。
【００６３】
そして、この第１ばね止め体２４と遊動プラグ１５との間には、圧縮コイルばね等のばね部材１９が弾装されており、このばね部材１９の弾力により、遊動プラグ１５はそのカム面が支持体１のカム面５に弾圧される方向に付勢されている。
【００６４】
なお、支持筒３が支持体１に被嵌されていない単体の状態では、ばね部材１９の弾力により下方に付勢された遊動プラグ１５は、ガイドピン１７を介して、案内長孔１８の下端に係止される（図１４及び図１８参照）。
【００６５】
一方、図１４及び図１５に示すように、支持筒３の下方にはクリック箱２２が一体に結合されており、このクリック箱内には、図１７に示すように、一端（左端）に円弧状の係合部を形成した全体の形状が矩形のブロック体で、内側をくりぬいたクリック体２５が収納されている。
【００６６】
上記クリック体２５の側板の厚さを稼ぐため、図１６に示すように、支持筒３の内周面３ａを囲繞する支持筒実体部を一部切り欠いて、左右に実体部２２ａ、２２ａを残す外形小判形に成形する。
【００６７】
そして、この実体部２２ａ、２２ａの周囲にクリック体２５を収納する凹陥部２２ｂを形成する。
【００６８】
そして、クリック体２５の内側にくりぬきにより形成した開口の側板部は、図１７に示すように、上記クリック箱２２内の実体部２２ａ、２２ａ及びこれらに挟持される支持体の立体カム６との干渉を避けてしかも左右に移動できるように肉を盗む。
【００６９】
一方、図１４及び図１５に示すように、クリック箱２２の上記凹陥部２２ｂに水平なクリックばね収納孔２２ｃを連設し、このクリックばね収納孔２２ｃに例えば圧縮コイルばねによるクリックばね２６を弾装する。
【００７０】
図示の実施例では、このクリックばね収納孔２２ｃの外側（図１４及び図１５で右側）の開口端縁部には雌ねじが刻設されており、この雌ねじに外周に雄ねじを刻設した第２ばね止め体２７がその装着位置を調節可能に螺合している。
【００７１】
したがって、この第２ばね止め体２７とクリック体２５との間に弾装されたクリックばね２６は、第２ばね止め体２７の装着位置を変化させることによりその弾力を調整することができる。
【００７２】
上記した構成のクリック体２５に対応して、扉枠２側に装着される第１ブラケット８の垂直板部には、図１１乃至図１３に示すように、縦長の凹条１４が形成されている。
【００７３】
したがって、この発明による自動閉鎖ヒンジを装着した扉が閉鎖位置にあるとき、扉の支持端縁から突出する方向に付勢されたクリック体２５の外端が上記凹条１４と係合し、扉の閉鎖角度位置を弾性的かつ準安定的に保持する。
【００７４】
上記した諸構成部材は、図１８に示すように、扉枠２に固定された支持体の立体カム６上に遊動プラグ１５を載置し、ばね部材１９を介してこれらに支持筒３を被せるようにして、この発明の一実施例による自動閉鎖ヒンジを構成する。
【００７５】
なお、扉Ｄの支持端縁上部は、図１１に示すように、ピボットヒンジＰにより支持する。
【００７６】
このピボットヒンジＰは、図１０、図１９及び図２０に示すように、扉枠２側にねじ止めによって装着される上部軸受け２８と、扉Ｄの支持端縁上端部に装着される可動軸支持筒２９（図１０及び図２２参照）に出没可能に支持された可動軸３１とを有している。
【００７７】
上記可動軸３１は可動軸支持筒２９内に弾装された可動軸ばね３２（図２２参照）の弾力によって上方に付勢されているが、可動軸３１に形成された段部がクリック箱２２の底板２３に係合していて、常態では図２２の突出位置を保つ。
【００７８】
この可動軸３１には水平な操作軸３３が一体に結合されていて、この操作軸３３は可動軸支持筒２９に開口したＬ字形の保持孔３４を挿通して外部空間に突出している。
【００７９】
扉Ｄを扉枠２に装着する際、この操作軸３３を手指で摘んで下方に押し下げ、次いでこれを保持孔３４の水平部に係合させる。
【００８０】
すると、可動軸３１は扉の上端縁から引込んだ状態（図示せず）を安定に保つから、その状態で上記したように支持体１に支持筒３を被せる。
【００８１】
その後、操作軸３３を上記とは逆方向に操作して可動軸３１を自由にすると、可動軸３１は可動軸ばね３２の弾力により自動的に上部軸受け２８に投入される（図１参照）。
【００８２】
なお、ピボットヒンジＰにも前記したと同様の構成のクリック体２５が装着されており、その先端が、上部軸受け２８と一体に結合された第２ブラケット１２（図１０、図１９及び図２０参照）に形成された凹条１４と係合して、扉閉鎖状態を準安定的に保つ。
【００８３】
図１０及び図１８に示すようにこの発明による自動閉鎖ヒンジが組立られた状態において、ばね部材１９の弾力は、前記この発明の第一の実施例におけると同様に、例えば扉Ｄの重量の約半分以上で、扉Ｄの重量以下に設定する。
【００８４】
それは、後述するように、ばね部材１９の弾力が小さいとこのヒンジは通常のピボットヒンジになってしまうし、ばね部材１９の弾力が扉Ｄの重量より大きいと、支持筒３が基盤４から浮び上がってしまい、このヒンジが従来のグラビティヒンジと同じになってしまうからである。
【００８５】
上述したようにばね部材１９の弾力を扉Ｄの重量以下である程度以上に設定すると、図１８から明らかなように、扉の重量は支持筒３、ばね部材１９、遊動プラグ１５を介して支持体１の基盤４に弾性的に担持されると共に、支持筒３及びスラスト軸受け部９を介して支持体１の基盤４に担持される。
【００８６】
なお、上記のように構成されたこの発明の第二の実施例による自動閉鎖ヒンジの作用は、図１乃至図９に示す第一の実施例と同様であるから、更に詳細な説明は省略する。
【００８７】
【発明の効果】
以上の説明から明らかなように、この発明は、扉を開ける際立体カムと遊動プラグとの相対回動による遊動プラグの移動を扉の重量より小さい弾力のばね部材によって吸収するようにしたので、扉の開閉の際扉が上下することがない。
【００８８】
また、扉を閉鎖方向に駆動する回転モーメントを決定するばね部材の寸法や立体カムの傾斜度の設定の自由度が大きいので、充分な閉鎖回転モーメントを設定することができ、自動閉鎖ヒンジの作動の確実性を向上させることができる。
【００８９】
更にまた、支持体に中心軸を見込む角度が平角以下の一対の螺旋状のカム面を面対称に形成すれば、扉閉鎖状態を中心にして内側に扉を開いても外側に開いても同じ開閉作用をし、換言すれば内外自由開き扉にこの発明を容易に適用できる、等種々の効果を奏する。
【図面の簡単な説明】
【図１】この発明の第一実施例による自動閉鎖ヒンジを装着した扉の線図的正面図。
【図２】その支持体の平面図。
【図３】その支持体の正面図。
【図４】支持筒の平面図。
【図５】支持筒の正面図。
【図６】遊動プラグの平面図。
【図７】遊動プラグの正面図。
【図８】この発明の第一実施例による自動閉鎖ヒンジの一部断面正面図で、扉が閉鎖されている状態を示す。
【図９】この発明の第一実施例による自動閉鎖ヒンジの一部断面正面図で、扉が９０度開放されている状態を示す。
【図１０】この発明第二実施例による自動閉鎖ヒンジとピボットヒンジを装着した扉の一部正面図。
【図１１】その支持体の平面図。
【図１２】その支持体の正面図。
【図１３】図１１のＸＩＩＩ−ＸＩＩＩ線から見た支持体の側面図。
【図１４】支持筒の一部断面正面図。
【図１５】クリック箱の底面図。
【図１６】底板を取り外して示す図１５と同様のクリック箱の底面図。
【図１７】クリック体の平面図。
【図１８】この発明の第二実施例による自動閉鎖ヒンジの一部断面正面図で、実線で扉が閉鎖されている状態を、鎖線で扉が９０度開いているときの遊動プラグの状態を示す。
【図１９】上部軸受けの正面図。
【図２０】上部軸受けの平面図。
【図２１】可動軸支持筒の平面図。
【図２２】可動軸支持筒の一部断面正面図。
【図２３】可動軸支持筒の側面図。
【符号の説明】
１  支持体
３  支持筒
４  基盤
５  カム面
６  立体カム
７  芯棒
９  スラスト軸受け部
１５  遊動プラグ
１６  ガイド孔
１７  ガイドピン
１８  案内長孔
１９  ばね部材
２１  水平面部
２２  クリック箱
２３  底板
２５  クリック体
２６  クリックばね
【図１】
0003946877.tif 000002
【図２】
0003946877.tif 000003
【図３】
0003946877.tif 000004
【図４】
0003946877.tif 000005
【図５】
0003946877.tif 000006
【図６】
0003946877.tif 000007
【図７】
0003946877.tif 000008
【図８】
0003946877.tif 000009
【図９】
0003946877.tif 000010
【図１０】
0003946877.tif 000011
【図１１】
0003946877.tif 000012
【図１２】
0003946877.tif 000013
【図１３】
0003946877.tif 000014
【図１４】
0003946877.tif 000015
【図１５】
0003946877.tif 000016
【図１６】
0003946877.tif 000017
【図１７】
0003946877.tif 000018
【図１８】
0003946877.tif 000019
【図１９】
0003946877.tif 000020
【図２０】
0003946877.tif 000021
【図２１】
0003946877.tif 000022
【図２２】
0003946877.tif 000023
【図２３】
0003946877.tif 000024